(57)【特許請求の範囲】
【請求項１】
光記録媒体で反射したレーザビームを受光して電気的信号に変換する光検出部を、光ピックアップに装着する際に位置決め調整を行う位置調整装置であって、
前記光ピックアップを保持する保持テーブルと、
前記光検出部が固定された金属板を磁力によって吸着して、この金属板を前記保持テーブルに保持された光ピックアップの上端部に所定間隔離間して平行に対向配置された２つの板状の突起に挟まれた装着部内で所定の方向に微動させて位置調整するアームとを備え、
前記アームには、前記金属板を着脱自在に吸着する電磁石が設けられていることを特徴とする位置調整装置。
【請求項２】
光記録媒体で反射したレーザビームを受光して電気的信号に変換する光検出部を、光ピックアップに装着する際の位置決め調整を行う位置調整方法であって、
予め光検出部を金属板に固定しておき、
前記光ピックアップを所定の位置に保持した後、前記金属板を電磁石によって吸着して前記光ピックアップの上端部に所定間隔離間して平行に対向配置された２つの板状の突起に挟まれた装着部内に装入し、
次に、前記光記録媒体で反射したレーザビームを前記光検出部で検出し、この検出結果に基いて前記金属板を前記装着部内で微動させることで前記光検出部を位置決めしたうえで、前記金属板を装着部に固定し、
次に、前記電磁石の吸着力を解除して、該電磁石を金属板から離脱させることを特徴とする位置調整方法。
【発明の詳細な説明】
【０００１】
【発明の属する技術分野】
本発明は、光ディスク装置における光ピックアップの組立工程で使用される位置調整装置、および位置調整方法に関する。
【０００２】
【従来の技術】
近年、コンピュータ等のデータを保持する手段としては、データ保存容量が大きいこと、アクセスが高速であること、および可搬性にすぐれていること等の利点をもつことから、光ディスクを記録媒体とした記録再生装置が使用されるようになっている。
【０００３】
一般に、この種の記録再生装置には、記録再生に用いるレーザダイオードや光検出部および固定光学系と、この固定光学系からのレーザビームを光ディスク装着位置における光ディスクの情報トラックに集光するための対物レンズを２軸又は３軸方向に可動自在に保持するキャリッジを有する可動光学系とからなる光ピックアップが備えられている。
【０００４】
この種の光ピックアップの組立工程においては、光検出部の取付位置を光軸と合致させる必要があり、この光検出部の位置調整が位置調整装置を用いて行われている。
【０００５】
このような光検出部の取付位置の位置調整をする技術としては、特開昭６１−１９２０３７号公報、特開平４―２８３４２９号公報、特開平４―３０２８２５号公報、特開平４―３０２８２６号公報、特開平５―２７３４４９号公報、特開平６―１１１３５５号公報、特開平７―９３８０１号公報、特開平８―３６７７１号公報、特開平９―１７０１９号公報、特開平９―２２３３２２号公報、特開平９―２５９４４２号公報、特開平１０―５５５５９号公報、特開平１０―１６２４２３号公報等に示されている。
【０００６】
従来の光検出部の取付位置を位置調整する技術の一例としては、３軸方向に駆動可能なアームに固定された永久磁石に、光検出部が予め固定された金属板を吸着させ、所定の位置に保持された光ピックアップの装着部に該金属板を装入する。そして、光ディスクで反射したレーザビームを該光検出部で検出し、この検出結果に基いて該金属板を光ピックアップの装着部内で微動させることで光検出部を位置決めしたうえで、該金属板を装着部に接着剤等で固定していた。
【０００７】
【発明が解決しようとする課題】
しかしながら、アームに固定された永久磁石に、光検出部が固定された金属板を吸着させていたため、光検出部が位置決めされた状態で光ピックアップに金属板を固定しても、アームの永久磁石から金属板を取外す際には、永久磁石の吸着力で光検出部に歪みが生じることや、光検出部の取付位置にずれが生じることがあった。このように、光学検出部に歪みやずれが生じると、光ディスクの情報トラックで反射するレーザビームを正確に検出することができなくなることがあった。
【０００８】
この発明は、上記問題点を解決すべく案出されたものであり、歪みや取付位置にずれが生じることなく光検出部を光ピックアップの所定の位置に位置決めできる位置調整装置、および位置調整方法を提供することを目的としている。
【０００９】
【課題を解決するための手段】
上記目的を達成するために、本発明は、例えば図１〜図３に示すように、光記録媒体（光ディスク）７で反射したレーザビームを受光して電気的信号に変換する光検出部（フォトディテクタ）２を、光ピックアップ１に装着する際に位置決め調整を行う位置調整装置５０であって、前記光ピックアップ１を保持する保持テーブル２０と、前記光検出部２が固定された金属板（鉄板）９を磁力によって吸着して、この金属板９を前記保持テーブル２０に保持された光ピックアップ１の上端部に所定間隔離間して平行に対向配置された２つの板状の突起に挟まれた装着部１ａ内で所定の方向に微動させて位置調整するアーム４とを備え、前記アーム４に、前記金属板９を着脱自在に吸着する電磁石１０を設けたものである。
【００１０】
また、光記録媒体７で反射したレーザビームを受光して電気的信号に変換する光検出部２を、光ピックアップ１に装着する際の位置決め調整を行う位置調整方法であって、予め光検出部２を金属板９に固定しておき、前記光ピックアップ１を所定の位置に保持した後、前記金属板９を電磁石１０によって吸着して前記光ピックアップ１の上端部に所定間隔離間して平行に対向配置された２つの板状の突起に挟まれた装着部１ａ内に装入し、次に、前記光記録媒体７で反射したレーザビームを前記光検出部２で検出し、この検出結果に基いて前記金属板９を前記装着部１ａ内で微動させることで前記光検出部２を位置決めしたうえで、前記金属板９を装着部１ａに固定し、次に、前記電磁石１０の吸着力を解除して、該電磁石１０を金属板９から離脱させることにした。
【００１１】
このように、金属板を電磁石によって吸着して光ピックアップの装着部内に装入することで、光検出部のおおよその位置決めをすることができ、光記録媒体で反射したレーザビームを光検出部で検出し、この検出結果に基いて前記金属板を前記装着部内で微動させることで光検出部を正確に位置決めしたうえで、前記金属板を装着部に固定することができる。その後、電磁石の吸着力を解除して、該電磁石を金属板から離脱させることで、装着部に光検出部を歪みや取付位置にずれが生じることなく正確に位置決めできる。
【００１２】
【発明の実施の形態】
以下、本発明の実施の形態を図面に基づいて詳細に説明する。
図１および図２に示すように、位置調整装置５０は光検出部（フォトディテクタ）２を、光ピックアップ１に装着する際に位置決め調整を行うものであって、保持テーブル２０と、アーム４とを備えている。
【００１３】
保持テーブル２０は、支持板１１ａ上に固定された支柱部２１と、この支柱部２１の上端部に固定された中空部２２ａを有する光ディスクケース２２とを備えている。この光ディスクケース２２の中空部２２ａには、光ディスク７が吸着保持されるディスクテーブル３０を高速回転させるスピンドルモータ３１が配置されている。光ディスクケース２２の上面には、挟着部２３によって光ピックアップ１が保持されている。
【００１４】
光ピックアップ１は、図１〜図３に示すように、その光学系を構成する各光学要素が、例えばダイキャスト等により矩形状形成された一体型の光学ベース１ｂに支持されている。そして、この光学ベース１ｂの上端部には、所定間隔離間して平行に対向配置された２つの板状の突起に挟まれた装着部１ａが設けられており、この装着部１ａ内に後述するフォトディテクタ２が装入される。ここで、光学ベース１ｂは、アルミニウム、亜鉛、マグネシウム等で鋳造されている。
【００１５】
そして、この光ピックアップ１は、図３に示すように、各光学要素として、半導体レーザ素子等のレーザ光源５と、このレーザ光源５から射出されたレーザビームを分離する回折格子１１と、この回折格子１１を通過したレーザビームを直線偏光させるコリメータレンズ１２と、このコリメータレンズ１２を通過したレーザビームと光ディスク（光記録媒体）７で反射するレーザビームとを分離するビームスプリッタ１３と、このビームスプリッタ１３で分離したレーザビームのうち光ディスク７の情報トラック７ａに入射するレーザビームを集光させる集光レンズ部８とを備えている。
【００１６】
この集光レンズ部８は、ビームスプリッタ１３で分離した直線偏光のレーザビームを円偏光させる１/４波長板８ａと、この１/４波長板８ａを通過したレーザビームを光ディスク７の情報トラック７ａに集光させる対物レンズ８ｂとを備えている。
【００１７】
フォトディテクタ２は、図２および図３に示すように、光ディスク７の情報トラック７ａで反射したレーザビームを受光して電気的信号に変換して表示部２５に発信するるものであって、矩形状の鉄板（金属板）９の表面に固定されている。また、このフォトディテクタ２の検出面２ｂは４区画に分割されており、検出面２ｂの各区画で受光するレーザビームの位置が、光ディスク７の情報トラック７ａに集光するレーザビームの位置に対応するように設定される。
【００１８】
つまり、光ディスク７の情報トラック７ａに入射するレーザビームが対物レンズ８ｂの焦点位置に合致した状態で、分割された検出面２ｂの中心部２ａに情報トラック７ａで反射したレーザビームが入射すると、フォトディテクタ２が正確に光学ベース１ｂの装着部１ａ内に位置決めされたことになる。
【００１９】
表示部２５は、フォトディテクタ２の検出面２ｂで受光するレーザビームの位置と、検出面２ｂの中心部２ａとの誤差を算出して表示面（図示しない）に表示するものである。よって、この表示面に表示された検出結果に基いて、アーム４で、検出面２ｂの中心部２ａに情報ディスク７ａで反射するレーザビームを受光させることが可能となっている。
【００２０】
アーム４は、図１に示すように、フォトディテクタ２が固定された鉄板９を磁力によって吸着して、この鉄板９を保持テーブル２０に保持された光ピックアップ１の装着部１ａ内で３軸の方向に微動させて位置調整するものであって、３つのステージを有する可動支持部１１と、この可動支持部１１の上端部に取付けられたアーム本体１２とを備えている。
【００２１】
可動支持部１１は、保持テーブル２０から所定間隔離間した位置で配置されており、支持板１１ａ上に固定されたＺ軸方向に変位可能なＺ軸ステージ１１ｂと、このＺ軸ステージ１１ｂの上端部に連結されたＸ軸およびＹ軸方向に変位可能なＸＹ軸ステージ１１ｃと、このＸＹ軸ステージ１１ｃの上端部に連結されたＸ軸およびＹ軸に対して回転可能なゴニオステージ１１ｄとを備えている。
【００２２】
そして、これら各ステージ１１ｂ、１１ｃ、１１ｄには、それぞれ位置合わせハンドル（図示しない）が設けられており、各ステージ１１ｂ、１１ｃ、１１ｄ毎に変位および回転が可能となっている。ここで、紙面上の左右方向をＸ軸とし、紙面と垂直な軸方向をＹ軸とし、紙面上の上下方向をＺ軸とする。
【００２３】
アーム本体１２は、水平方向に延在するものであって、先端部１２ａには、フォトディテクタ２が固定された鉄板９を着脱自在に吸着する電磁石１０が設けられている。
【００２４】
次に、図１〜図３を参照して、光フォトディテクタ２を、光ピックアップ１に装着する際の位置決め調整を行う位置調整方法について説明する。
まず、予めフォトディテクタ２を鉄板９に固定しておき、光ピックアップ１を保持テーブル２０の挟着部２３に保持する。そして、アーム４に設けられた電気スイッチ（図示しない）を押して、電磁石１０を駆動し、鉄板９を電磁石１０に吸着させ、光ピックアップ１の装着部１ａ内に該鉄板９を装入する。また、光ディスク支持台に設けられた電気スイッチ（図示しない）を押して、スピンドルモータ３１を駆動させ光ディスク７を回転させる。
【００２５】
次に、レーザ光源５からレーザビームを回折格子１１に射出し、回折格子１１で射出されたレーザビームを分離する。そして、分離されたレーザビームをコリメートレンズで直線偏光させビームスプリッタ１３に入射する。ここで、ビームスプリッタ１３を通過したレーザビームは、１/４波長板８ａに入射して直線偏光から円偏光に変えられて、対物レンズ８ｂに入射する。そして、対物レンズ８ｂを通過したレーザビームは収束光となり、光ディスク７の情報トラック７ａの焦点位置に集光する。そして、光ディスク７の情報トラック７ａで反射するレーザビームは対物レンズ８ｂと１/４波長板８ａを通過し、ビームスプリッタ１３で光ディスク７に入射するレーザビームと分離されてフォトディテクタ２の検出面２ｂに入射する。
【００２６】
そして、フォトディテクタ２の検出面２ｂに入射されたレーザビームを検出し、電気的信号に変えて表示部に発信する。ここで、フォトディテクタ２の検出面２ｂで受光するレーザビームの位置と、検出面２ｂの中心部２ａとの誤差を算出し、表示面にこの検出結果を表示する。次に、この検出結果に基いて、支持部１１の各ステージ１１ｂ、１１ｃ、１１ｄをそれぞれ位置合わせハンドルで変位または回転させ、情報トラック７ａで反射するレーザビームが検出面２ｂの中心部２ａで受光されるように鉄板９を微動させることで、装着部１ａ内におけるフォトディテクタ２の位置決めをする。
【００２７】
そして、情報トラック７ａで反射するレーザビームが検出面２ｂの中心部２ａで受光された状態になると、鉄板９を装着部１ａ内に瞬間接着剤等で固定し、アーム部１２に設けられた電気スイッチ（図示しない）を押して、電磁石１０の吸着力を解除し、電磁石１０を鉄板９から離脱させる。
【００２８】
以上より、本実施の形態によれば、予めフォトデックタ２を鉄板９に固定し、光ピックアップ１を保持テーブル２０の挟着部２３に保持した後、鉄板９を電磁石１０によって吸着して光ピックアップ１の装着部内１ａに装入することで、フォトディテクタ２のおおよその位置決めをすることができる。
【００２９】
そして、光ディスク７の情報トラック７ａで反射したレーザビームをフォトディテクタ２で検出し、この検出結果に基いて、可動支持部１１の各ステージ１１ｂ、１１ｃ、１１ｄを変位または回転させ、鉄板９を装着部１ａ内で微動させることでフォトディテクタ２を位置決めしたうえで、鉄板９を装着部１ａに固定することができる。
【００３０】
その後、電磁石１０の吸着力を解除して、該電磁石１０を鉄板９から離脱させることで、装着部１ａにフォトディテクタ２を歪みや取付位置にずれが生じることなく正確に位置決めできる。
【００３１】
なお、本発明の信号検出器の取付装置は上記実施の形態に限定されるものではない。例えば、表示部で表示する検出結果に基いて、支持部１１の各ステージ１１ｂ、１１ｃ、１１ｄを自動制御して、光検出部の位置合わせを行ってもよい。
【００３２】
【発明の効果】
本発明に従うと、光ピックアップの装着部に光検出部を歪みや取付位置にずれが生じることなく正確に位置決めできる。
【図面の簡単な説明】
【図１】本発明の実施の形態の位置調整装置の側面図である。
【図２】実施の形態の光検出部が固定された金属板を吸着した状態を示すアームの先端部の拡大斜視図である。
【図３】実施の形態の光ピックアップの光学要素を示す全体図である。
【符号の説明】
１                光ピックアップ
１ａ              装着部
２                光検出器（フォトディテクタ）
４                アーム
７                光記録媒体（光ディスク）
９                金属板
１０              電磁石
２０              保持テーブル
５０              位置調整装置
【図１】
0003991305.tif 000002
【図２】
0003991305.tif 000003
【図３】
0003991305.tif 000004